【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
下式Ｉ
【化１】
1998182621.tif 000001
（式中、Ｒ1 は炭素原子数１ないし１８のアルキル基；炭素原子数５ないし１２のシクロアルキル基；炭素原子数３ないし１８のアルケニル基；フェニル基；フェニル基、ＯＨ、炭素原子数１ないし１８のアルコキシ基、炭素原子数５ないし１２のシクロアルコキシ基、炭素原子数３ないし１８のアルケニルオキシ基、ハロゲン原子、−ＣＯＯＨ、−ＣＯＯＲ4 、−Ｏ−ＣＯ−Ｒ5 、−Ｏ−ＣＯ−Ｏ−Ｒ6 、−ＣＯ−ＮＨ2 、−ＣＯ−ＮＨＲ7 、−ＣＯ−Ｎ（Ｒ7 ）（Ｒ8 ）、ＣＮ、ＮＨ2 、ＮＨＲ7 、−Ｎ（Ｒ7 ）（Ｒ8 ）、−ＮＨ−ＣＯ−Ｒ5 、フェノキシ基、炭素原子数１ないし１８のアルキル基で置換されたフェノキシ基、フェニル−炭素原子数１ないし４のアルコキシ基、炭素原子数６ないし１５のビシクロアルコキシ基、炭素原子数６ないし１５のビシクロアルキルアルコキシ基、炭素原子数６ないし１５のビシクロアルケニルアルコキシ基、または炭素原子数６ないし１５のトリシクロアルコキシ基で置換された炭素原子数１ないし１８のアルキル基；ＯＨ、炭素原子数１ないし４のアルキル基、炭素原子数２ないし６のアルケニル基または−Ｏ−ＣＯ−Ｒ5 で置換された炭素原子数５ないし１２のシクロアルキル基；グリシジル基；−ＣＯ−Ｒ9 または−ＳＯ2 −Ｒ10を表すか；あるいは
Ｒ1 は１以上の酸素原子で中断されたおよび／またはＯＨ、フェノキシ基もしくは炭素原子数７ないし１８のアルキルフェノキシ基で置換された炭素原子数３ないし５０のアル
キル基を表すか；あるいは
Ｒ1 は−Ａ；−ＣＨ2 −ＣＨ（ＸＡ）−ＣＨ2 −Ｏ−Ｒ12；−ＣＲ13Ｒ’13−（ＣＨ2 ）m −Ｘ−Ａ；−ＣＨ2 −ＣＨ（ＯＡ）−Ｒ14；−ＣＨ2 −ＣＨ（ＯＨ）−ＣＨ2 −ＸＡ；
【化２】
1998182621.tif 000002
−ＣＲ15Ｒ’15−Ｃ（＝ＣＨ2 ）−Ｒ”15；−ＣＲ13Ｒ’13−（ＣＨ2 ）m −ＣＯ−Ｘ−Ａ；−ＣＲ13Ｒ’13−（ＣＨ2 ）m −ＣＯ−Ｏ−ＣＲ15Ｒ’15−Ｃ（＝ＣＨ2 ）−Ｒ”15または−ＣＯ−Ｏ−ＣＲ15Ｒ’15−Ｃ（＝ＣＨ2 ）−Ｒ”15（式中、Ａは−ＣＯ−ＣＲ16＝ＣＨ−Ｒ17を表す。）で表される定義の一つを表し；
基Ｒ2 は、互いに独立して、炭素原子数６ないし１８のアルキル基；炭素原子数２ないし６のアルケニル基；フェニル基；炭素原子数７ないし１１のフェニルアルキル基；ＣＯＯＲ4 ；ＣＮ；−ＮＨ−ＣＯ−Ｒ5 ；ハロゲン原子；トリフルオロメチル基；−Ｏ−Ｒ3 を表し；
Ｒ3 はＲ1 に対して与えられた定義を表し；
Ｒ4 は炭素原子数１ないし１８のアルキル基；炭素原子数３ないし１８のアルケニル基；フェニル基；炭素原子数７ないし１１のフェニルアルキル基；炭素原子数５ないし１２のシクロアルキル基を表すか；あるいは
Ｒ4 は１以上の−Ｏ−、−ＮＨ−、−ＮＲ7 −、−Ｓ−で中断されたおよびＯＨ、フェノキシ基もしくは炭素原子数７ないし１８のアルキルフェノキシ基で置換されていてもよい、炭素原子数３ないし５０のアルキル基を表し；
Ｒ5 はＨ；炭素原子数１ないし１８のアルキル基；炭素原子数２ないし１８のアルケニル基；炭素原子数５ないし１２のシクロアルキル基；フェニル基；炭素原子数７ないし１１のフェニルアルキル基；炭素原子数６ないし１５のビシクロアルキル基；炭素原子数６ないし１５のビシクロアルケニル基；炭素原子数６ないし１５のトリシクロアルキル基を表し；
Ｒ6 はＨ；炭素原子数１ないし１８のアルキル基；炭素原子数３ないし１８のアルケニル基；フェニル基；炭素原子数７ないし１１のフェニルアルキル基；炭素原子数５ないし１２のシクロアルキル基を表し；
Ｒ7 およびＲ8 は互いに独立して炭素原子数１ないし１２のアルキル基；炭素原子数３ないし１２のアルコキシアルキル基；炭素原子数４ないし１６のジアルキルアミノアルキル基を表すか；または炭素原子数５ないし１２のシクロアルキル基を表し；
あるいはＲ7 およびＲ8 は一緒になって炭素原子数３ないし９のアルキレン基、炭素原子数３ないし９のオキサアルキレン基または炭素原子数３ないし９のアザアルキレン基を表し；
Ｒ9 は炭素原子数１ないし１８のアルキル基；炭素原子数２ないし１８のアルケニル基；フェニル基；炭素原子数５ないし１２のシクロアルキル基；炭素原子数７ないし１１のフェニルアルキル基；炭素原子数６ないし１５のビシクロアルキル基；炭素原子数６ないし１５のビシクロアルキルアルキル基、炭素原子数６ないし１５のビシクロアルケニル基；または炭素原子数６ないし１５のトリシクロアルキル基を表し；
Ｒ10は炭素原子数１ないし１２のアルキル基；フェニル基；ナフチル基；または炭素原子数７ないし１４のアルキルフェニル基を表し；
基Ｒ11は互いに独立してＨ；炭素原子数１ないし１８のアルキル基；炭素原子数３ないし６のアルケニル基；フェニル基；炭素原子数７ないし１１のフェニルアルキル基；ハロゲン原子；炭素原子数１ないし１８のアルコキシ基を表し；
Ｒ12は炭素原子数１ないし１８のアルキル基；炭素原子数３ないし１８のアルケニル基；フェニル基；炭素原子数１ないし８のアルキル基、炭素原子数１ないし８のアルコキシ基、炭素原子数３ないし８のアルケノキシ基、ハロゲン原子またはトリフルオロメチル基で１ないし３回置換されたフェニル基を表すか；または炭素原子数７ないし１１のフェニルアルキル基；炭素原子数５ないし１２のシクロアルキル基；炭素原子数６ないし１５のトリシクロアルキル基；炭素原子数６ないし１５のビシクロアルキル基；炭素原子数６ないし１５のビシクロアルキルアルキル基；炭素原子数６ないし１５のビシクロアルケニルアルキル基；−ＣＯ−Ｒ5 を表し；またはＲ12は１以上の−Ｏ−、−ＮＨ−、−ＮＲ7 −、−Ｓ−で中断されたおよびＯＨ、フェノキシ基もしくは炭素原子数７ないし１８のアルキルフェノキシ基で置換されていてもよい、炭素原子数３ないし５０のアルキル基を表し；
Ｒ13およびＲ’13は互いに独立してＨ；炭素原子数１ないし１８のアルキル基；フェニル基を表し；
Ｒ14は炭素原子数１ないし１８のアルキル基；炭素原子数３ないし１２のアルコキシアルキル基；フェニル基；フェニル−炭素原子数１ないし４のアルキル基を表し；
Ｒ15、Ｒ’15およびＲ”15は互いに独立してＨまたはＣＨ3 を表し；
Ｒ16はＨ；−ＣＨ2 −ＣＯＯ−Ｒ4 ；炭素原子数１ないし４のアルキル基；またはＣＮを表し；
Ｒ17はＨ；−ＣＯＯＲ4 ；炭素原子数１ないし１７のアルキル基；またはフェニル基を表し；
Ｘは−ＮＨ−；−ＮＲ7 −；−Ｏ−；−ＮＨ−（ＣＨ2 ）p −ＮＨ−；または−Ｏ−（ＣＨ2 ）q −ＮＨ−を表し；および
指数ｍは数０−１９を表し；ｎは数１−８を表し；ｐは数０−４を表し；ｑは数２−４を表す；但し式Ｉ中、基Ｒ1 、Ｒ2 およびＲ11の少なくとも１つが２個以上の炭素原子を含む。）で表される化合物（但し、２−｛２，４−ジ（２−エチルヘキシルオキシ）−フェニル｝−４，６−ビス｛２−ヒドロキシ−４−（２−エチルヘキシルオキシ）−フェニル｝−１，３，５−トリアジンを除く）。
【請求項２】
Ａ）光、酸素および／または熱により損傷を受けやすい有機材料とＢ）安定剤として請求項１記載の式Ｉで表される化合物の少なくとも１種とからなる組成物。
【請求項３】
成分Ａ）が合成有機ポリマーまたは記録材料である請求項２記載の組成物。
【請求項４】
成分Ａ）及び成分Ｂ）の他に、抗酸化剤；金属不活性化剤；ホスフィット；ホスホナイト；２−( ２′−ヒドロキシフェニル) ベンゾトリアゾール、２−ヒドロキシベンゾフェノン、置換された及び非置換の安息香酸のエステル、アクリレート、ニッケル化合物、立体障害性アミン、オキサミド、さらに２−（２−ヒドロキシフェニル）−１，３，５−トリアジンのような他の光安定剤；ヒドロキシルアミン；ニトロン；チオ相乗剤；過酸化物スカベンジャー；ポリアミド安定剤；塩基性補助安定剤；核剤；充填剤及び強化剤；可塑剤；潤滑剤；乳化剤；顔料；レオロジー添加剤；触媒；流れ調整剤；光沢剤；難燃剤；静電防止剤；発泡剤；ベンゾフラノン；インドリノンから選択された慣用的添加剤をさらに含む請求項２記載の組成物。
【請求項５】
記録材料が、ベース上の少なくとも１つの感光性ハロゲン化銀乳剤層および、所望ならば中間層および／または保護層とからなり、これらの層の少なくとも１つが成分Ｂ）を含むカラー写真材料である請求項３記載の組成物。
【請求項６】
光、酸素および熱による損傷に対して有機材料を安定化する方法であって、該有機材料に請求項１記載の式Ｉで表される化合物を添加または塗布することからなる方法。
【請求項７】
光、酸素および／または熱による損傷に対して有機材料を安定化するための、又は紫外線の損傷作用に対してヒト及び動物の皮膚及び／又は毛髪を保護するための請求項１記載の式Ｉで表される化合物の使用。
【請求項８】
毛髪および皮膚用化粧品に関し化粧品として許容される賦形剤または助剤と共に請求項１記載の式Ｉで表される化合物の１以上とを含む化粧品調剤。
【請求項９】
紫外線に対して毛髪を保護するための請求項８記載の毛髪用化粧品調剤の使用であって、該調剤がシャンプーの形態；シャンプーで洗髪するの前もしくは後の、染色または漂白するの前もしくは後の、パーマネントウェーブまたは直毛化処置をかける前もしくは後の濯ぎのためのローション、ジェルまたはエマルジョンの形態；スタイリングまたはトリートメントのためのローション、ムースまたはジェルの形態；ブラッシングのためのまたはウエービングのためのローション、ムースまたはジェルの形態；ヘアスプレーの形態；毛髪にパーマネントウエーブをかけるための、毛髪を直毛にするための、毛髪を染色するのためのまたは脱色するのための組成物の形態である、使用。
【請求項１０】
紫外線の損傷作用に対する保護のためにヒトの毛髪を処理する方法であって、シャンプーで；シャンプーで洗髪する前もしくは後の、染色または漂白するの前または後の、パーマネントウェーブまたは直毛化処置をかける前もしくは後の濯ぎのためのローション、ジェルまたはエマルジョンで；スタイリングのためのローション、ムースまたはジェルで；ブラッシングのためのまたはウエービングのためのローション、ムースまたはジェルで；ヘアスプレーで；毛髪にパーマネントウエーブをかけるための、毛髪を直毛にするための、毛髪を染色のためのまたは脱色するのための組成物で処理することからなり、前記シャンプー、ローション、ジェル、エマルジョン、ムース、ヘアスプレーまたは毛髪にパーマネントウェーブをかけ、毛髪を直毛にし、染色しまたは脱色するための組成物が、請求項１記載の式Ｉで表される紫外線吸収剤の少なくとも１種を含むことを特徴とする方法。
【請求項１１】
２，４，６−トリス（２’−ヒドロキシ−４’−イソプロピルオキシフェニル）−１，３，５−トリアジン；
２，４，６−トリス（２’−ヒドロキシ−４’−ｎ−ヘキシルオキシフェニル）−１，３，５−トリアジン；
２，４，６−トリス（２’−ヒドロキシ−４’−ｎ−ヘプチルオキシフェニル）−１，３，５−トリアジン；
２，４，６−トリス（２’−ヒドロキシ−４’−エトキシカルボニルメトキシフェニル）−１，３，５−トリアジン。